(57)【要約】【課題】両面原稿読み取りの際、固定となる裏面原稿読み取り素子のシェーディング補正と裏写り防止を簡潔な構成で実現する。【解決手段】可動部となる表面原稿読み取り部に白領域と黒領域を設け、表面原稿読み取り部を稼働することによって、裏面原稿読み取り素子のシェーディング補正と裏写り防止を可能にする。【選択図】        図１
2004166145.tif 000002
【特許請求の範囲】
【請求項１】
連続的にラインイメージを読み取ることにより、所望の読み取りエリアを読み取るふたつの画像読み取り手段「甲」と「乙」を具備することにより、原稿の両面画像を同時ないしは略同時に読み取ることができる画像読み取り装置のうち、
読み取り部甲の読み取り系に、読み取り部乙による読み取りの際の裏写りを軽減する目的のための部材領域「丙」を具備し、読み取り部乙による読み取り時には前述の領域丙が読み取り部乙の読み取り位置に配置されると同時に、読み取り部甲が読み取り部乙を併用した両面画像読み取りの際の画像読み取り位置に配置されるように構成された画像読み取り装置。
【請求項２】
連続的にラインイメージを読み取ることにより、所望の読み取りエリアを読み取るふたつの画像読み取り手段「甲」と「乙」を具備することにより、原稿の両面画像を同時ないしは略同時に読み取ることができる画像読み取り装置のうち、
読み取り部甲の読み取り系に、読み取り部乙によるシェーディング補正の際のシェーディング補正を実施する目的のための部材領域「丁」を具備し、読み取り部乙による読み取り時には前述の領域丁が読み取り部乙の読み取り位置に配置されるように構成された画像読み取り装置。
【請求項３】
読み取り部乙によるシェーディング補正の際、読み取り部甲を駆動させながらシェーディング補正を行うことにより、領域丁の異なる個所を複数回読み取ってシェーディングデータを作成することを特徴とした請求項２に記載の画像読み取り装置。
【請求項４】
請求項１で説明した部材領域「丙」と請求項２で説明した部材領域「丁」の両方を読み取り部甲の読み取り系に具備することを特徴とする画像読み取り装置。
【請求項５】
部材領域「丙」と部材領域「丁」は、部材領域「丙」が部材領域「丁」よりも読み取り部甲の原稿照明光源から遠い位置に配置されていることを特徴とする請求項４に記載の画像読み取り装置。
【請求項６】
原稿の両面読み取りの際、読み取り部甲の読み取り位置に点灯及び消灯を制御できる発光体を配置することを特徴とする請求項１〜５に記載の画像読み取り装置。
【請求項７】
画像読み取りの際に読み取り部乙の読み取り部に付着したゴミを検出し、ゴミの影響を受けないように制御する機能を具備した請求項１〜６に記載の画像読み取り装置のうち、ゴミ検出の際は読み取り部甲の原稿照明位置が読み取り部乙の読み取り位置に配置され、読み取り部乙の原稿照明光源は消灯し、読み取り部甲の原稿照明光源を点灯させてゴミ検出することを特徴とした画像読み取り装置。
【請求項８】
画像読み取りの際に読み取り部甲の読み取り部に付着したゴミを検出し、ゴミの影響を受けないように制御する機能を具備した請求項６に記載の画像読み取り装置のうち、ゴミ検出の際は読み取り部甲を原稿両面読み取り位置に配置させ、請求項６に記載の発光体を発光させるとともに読み取り部甲の原稿照明光源を消灯させてゴミ検出することを特徴とした画像読み取り装置。
【請求項９】
原稿両面読み取り時には、発光体を消灯させることを特徴とした請求項６に記載の画像読み取り装置。
【発明の詳細な説明】
【０００１】
【発明の属する技術分野】
本発明は画像読取装置、特に複数枚数の原稿を自動的に順次読み取るオートドキュメントフィーダ（ＡＤＦ）を装備した画像読み取り装置、特にＡＤＦ内部に読み取り系を具備し原稿の表面と裏面を同時ないしはほぼ同時に読み取ることができる画像読み取り装置に関する。
【０００２】
【従来の技術】
従来、両面原稿を読み取る際には、ＡＤＦ内部に原稿反転機構を備え、まず原稿表面を画像読み取り装置側で読み取り、読み取り終了後ＡＤＦ内部の原稿反転機構により原稿を反転し、原稿裏面の読み取りを画像読み取り装置側で読み取るという動作を行い、両面原稿画像を読み取っていた。
【０００３】
しかし、この構成では原稿を反転する時間は、読み取り装置としてのデッドタイムとなり、読み取りパフォーマンスを低下させるし、原稿を反転させるために原稿にダメージを与えることが少なくなかった。
【０００４】
この問題に鑑み、近年ＡＤＦ内部に読み取り系を装備し、１回の原稿搬送動作によって表面画像と裏面画像を読み取る１パス両面画像読み取り装置が提案されている。
【０００５】
１パス両面画像読み取り装置の読み取り動作について説明する。
【０００６】
図２は１パス両面読み取り装置の概略構成図を示す図である。
【０００７】
ＡＤＦ７０の原稿載置台７１に載置された複数枚数の両面原稿は１枚ずつ搬送される。搬送経路は分離ローラ７２及び７３によって原稿が１枚ずつ分離搬送され、搬送ローラ７５の矢印方向の回動に従って搬送ガイド７４及び７７に沿って原稿が搬送される。
【０００８】
原稿が読み取り位置に搬送されるまでに、読み取り部２００はシェーディング補正板２１１の直下に移動し、シェーディング補正を実施する。シェーディング補正が終了すると、読み取り部２００は、流し読みウインドウ２１２の直下に移動し、原稿が搬送されてくるまで読み取り待機状態となる。
【０００９】
原稿が搬送されると、原稿の表面画像は搬送ローラ７５の直下で読み取りが行われる。即ち、画像読み取り装置２００内のランプ２０１で照明された原稿画像のラインイメージは、第１ミラー２０５、第２ミラー２０６、第３ミラー２０７、レンズ２０８を介してＣＣＤ２０９に結像し、ラインイメージの読み取りが行われる。搬送ローラ７５は所定の速度で原稿を搬送し、原稿を副走査方向の読み取りが順次行われ、原稿の表面画像の読み取りが行われる。表面原稿画像の読み取りが進行するとともに、等倍読み取りボックス２５０の直下に原稿端部が搬送されると、等倍読み取りボックス２５０によって原稿裏面の画像が読み取られる。等倍読み取りボックス２５０の光学系はセルフォックレンズ２５１、コンタクトセンサ２５２、ランプ２５３によって構成されており、ランプ２５３で照明された原稿裏面画像のラインイメージはセルフォックレンズ２５１を介してコンタクトセンサ２５２上に結像する。２５４はプラテンであり、原稿読み取り時にはプラテン上面を原稿が通過する形になる。コンタクトセンサに結像するラインイメージは等倍のイメージである。搬送ローラ７５は所定の速度で原稿を搬送しているので、原稿の副走査方向の読み取りが順次行われ、原稿の裏面画像の読み取りが行われる。読み取りが終了した両面原稿は排紙トレイ部７８に順次排紙される。
【００１０】
このようにして読み取られた表面及び裏面の画像データは不図示の画像処理回路に送られ、画像読み取り装置に接続されたホストコンピュータやプリンタなどによって画像が再生され、ディスプレイやプリント用紙上に画像を形成されるように画像形成処理される。
【００１１】
一方、見開き本などのブックタイプの原稿を読み取る場合は、ＡＤＦ７０を開いて、原稿ガラス上に原稿を載置し、読み取り部２００と第２ミラー台、第３ミラー台を図２の右方向に走査させ原稿のイメージを読み取る。
【００１２】
【発明が解決しようとする課題】
しかしながら、読み取りボックス２５０のシェーディング補正は、読み取りボックス２５０が固定となっているため、プラテン２５４をシェーディング板として利用するしかないが、プラテン２５４上にゴミが付着すると、正しい１ライン分のシェーディング補正データを得ることができず、例えば黒いゴミが付着した個所の画素が読み取る原稿画像はシェーディングデータが過剰補正となるため、副走査方向の白スジとなる。また、シェーディングデータを作成するためには、プラテン２５４をある程度白い部材で構成する必要があるが、原稿の厚みが薄い場合、プラテン２５４から反射する光の影響で、裏写りという現象が発生する不都合がある。
【００１３】
裏写りについて図３を用いて説明する。
【００１４】
図３（ａ）は、両面原稿３０の表面画像である。同じく図３（ｂ）は両面原稿３０の裏面画像である。このような原稿を図２で示した画像読み取り装置で読み取った場合、読み取りボックス２５０で読み取った裏面画像の再生画像は、図３（ｃ）のようになる。表面画像（ａ）の画像情報が薄く裏面再生画像に現れている様子がわかる。原稿３０がモノクロ２値原稿であれば、画像データ読み取り時にコントラストや濃度を調整して画像再生すれば良いが、カラー原稿の場合はコントラストや濃度を調整する事自体、原稿の色を変えて再生することになるので最適な方法とは言い難い。
【００１５】
このことは、表面原稿読み取り時にも同様のことが言える。
【００１６】
即ち、読み取り部２００による両面原稿の表面画像を読み取る際、流し読みウインドウ２１２上の読み取り位置にゴミがあると、ゴミが付着した個所の画素は常にゴミの画像を読み取っていることになり、黒いゴミだと副走査方向の黒スジになり、白いゴミだと副走査方向の白スジになる。
【００１７】
このため、流し読みウインドウ２１２上のゴミを検出するために、搬送ローラ７５を回転させながら流し読みウインドウ２１２を介して搬送ローラ７５の表面を読み取り、流し読みウインドウ２１２に付着したゴミを検出する。このようなゴミ検出方法により、搬送ロータ７５に付着したゴミを流し読みウインドウ２１２に付着したゴミと判定することはなく、例えば読み取りデータが周囲画素データに対して低い値の場合はその画素位置に黒いゴミが付着したと判断する。この場合は、例えばゴミがない周囲画素からゴミがある画素の補間データを作成し、ゴミが目立たない再生画像を出力することができる。このため、搬送ローラ７５の部材色はある程度白い部材でなければ黒いゴミを検出することができない。しかし、搬送ローラを白い部材で構成すると、先に述べた裏写りの影響はまぬがれることができない。図３（ｄ）に表面画像の裏写りの状態を示す。
【００１８】
また、付着したゴミが白いゴミの場合は検出精度が極めて低いという不具合も併せ持っている。
【００１９】
裏写りの影響をなくす提案としては、平０６−０６２２４５にオペレータの指示により読み取り位置の背景を非反射面とするか白色にするかの選択をさせ、挿入待避可能な基準白色板を設ける例があげられるが、基準白色板を挿入待避する機構が複雑になり現実的ではないし、オペレータが操作を間違えると所望の読み取り結果を得られなくなる。
【００２０】
また、２０００−０５９５６９では角材のような部材に白部と黒部を設けて、必要に応じて部材の面を切り替える提案がなされているが、部材の駆動にコストとスペースを要するので現実的な回避策とは言えない。
【００２１】
【課題を解決するための手段】
上記問題点に鑑み、本発明は画像読み取り装置に、内部に読み取り系を装備したＡＤＦを装着し、１回の原稿搬送動作によって表面画像と裏面画像を読み取る１パス両面画像読み取り装置に、画像読み取り装置側の読み取り部甲の読み取り系に、ＡＤＦ側の読み取り部乙による読み取りの際の裏写りを軽減する目的のための部材領域「丙」を具備し、読み取り部乙による読み取り時には前述の領域丙が読み取り部乙の読み取り位置に配置されると同時に、読み取り部甲が、両面画像読み取り時の画像読み取り位置に配置されるように構成したので、裏面画像読み取り時の裏写りを軽減することができる。
【００２２】
また、読み取り部甲の読み取り系に、読み取り部乙によるシェーディング補正の際のシェーディング補正を実施する目的のための部材領域「丁」を具備し、読み取り部乙による読み取り時には前述の領域丁が読み取り部乙の読み取り位置に配置されるように構成したので、読み取り部乙によるシェーディング補正の際は、読み取り部甲を移動させながらシェーディングすることによりシェーディングデータに対する部材領域丁上のゴミの影響を少なくすることができる。
【００２３】
また、読み取り部甲の読み取り位置におけるゴミ検出の際は読み取り部甲の原稿照明位置が読み取り部乙の読み取り位置に配置され、読み取り部乙の原稿照明光源は消灯し、読み取り部甲の原稿照明光源を点灯させてゴミ検出するので、白いゴミも黒いゴミも逆光状態でゴミ検出され、読み取り部乙によるゴミの検出精度を高くすることができる。
【００２４】
また、原稿の両面読み取りの際、読み取り部甲の読み取り位置に点灯及び消灯を制御できる発光体を配置することにより、ゴミ検出の際は読み取り部甲を原稿両面読み取り位置に配置させ、発光体を発光させるとともに読み取り部甲の原稿照明光源を消灯させてゴミ検出するので、読み取り部甲によるゴミの検出精度を高くすることができる。
【００２５】
さらには、原稿両面読み取り時には、発光体を消灯させることにより、裏写りの影響を軽減することができる。
【００２６】
【発明の実施の形態】
（実施例１）
本発明の実施例を図に従って説明する。
【００２７】
図１は本発明を反映した実施例の両面画像読み取り装置の概略構成図である。構成部材のうち、図２と同じ部材には同一部番を付している。
【００２８】
図２と異なる点は、図２の読み取り部２００が図１ではコンタクトイメージセンサ（以下ＣＩＳ）１０に置き換わっている。ＣＩＳ１０は図１の読み取りボックス２５０に近い構成であり、等倍の画像読み取りセンサを具備している。
【００２９】
ＣＩＳ１０の構成を図４に示す。
【００３０】
図４はＣＩＳ１０の概略構成を示す図である。光源４２−１及び４２−２によって照明された原稿のラインイメージはセルフフォーカスレンズ４３を介して等倍のイメージがラインセンサ４１に結像する。ラインセンサ４１は４２．３μｍピッチで７０５０画素を有しており、６００ｄｐｉで２９７ｍｍのラインイメージを読み取ることができる。部材１３は白色部材であり、シェーディング補正板と同等の濃度Ｄ＝０．３の均一濃度を有している。部材１４は黒色部材であり一般的な印刷物の黒濃度Ｄ＝１．６の均一濃度を有している。白色部材１３と黒色部材１４は、図４のようにＣＩＳ１０の構成部材として、水平に配置されるように構成してある。
【００３１】
図２の読み取り系に対して、このようなＣＩＳを用いれば、読み取り系のメカ部材や光学部材を大幅に省略でき、コンパクトな画像読み取り装置が構成可能である。ＣＩＳ１０は、ＡＤＦ７０を用いた両面原稿読み取り時には、原稿の表面画像を読み取る。白色部材１３と黒色部材１４の役割については後述する。
【００３２】
図１に戻り、画像読み取り装置についての説明を続ける。
【００３３】
ＣＩＳ１１はＣＩＳ１０と同様の構成を有するラインイメージ読み取りセンサである。構成はほぼＣＩＳ１０と同じであるので、構成の説明は割愛する。１２は保護ガラスであり、ＡＤＦ７０を用いた際、原稿を搬送する過程で発生する原稿に付着したゴミやホコリがＣＩＳ１１内部に混入しないように設けられた部材である。ＣＩＳ１１は、ＡＤＦ７０を用いた両面原稿読み取り時には、原稿の裏面画像を読み取る。
【００３４】
以降、図１を用いて片面原稿読み取り時、及び両面原稿読み取り時における動作説明を行う。
【００３５】
（片面原稿読み取り）
オペレータによって読み取りコマンドが入力されると、画像読み取り装置はＣＩＳ１０を図５の配置にして、シェーディング板２１１によってシェーディング補正を行う。シェーディング補正の際は、ＣＩＳ１０の原稿照明ランプを点灯させ、シェーディング補正板２１１を読み取る。シェーディング補正板２１１は均一な白色濃度に着色してあり、ＣＩＳ１０の各画素が保つ出力不均一性や、原稿照明ランプの照度ムラ等を補正し、ＣＩＳ１０の各画素から得られる信号出力特性が均一になるように後段不図示のシェーディング回路で信号補正される。
【００３６】
また、このシェーディング補正の際、シェーディング板２１１上にゴミが存在すると、ゴミを読み取った画素のシェーディング補正パラメータが過剰値になり、読み取り画像に白スジを発生する。
【００３７】
白スジ発生のアルゴリズムを説明する。
【００３８】
図６はシェーディング補正前にシェーディング補正板を読み取ったＣＩＳ１０の出力特性である。横軸に画素アドレスをとり、縦軸に読み取りレベルをとっている、読み取りレベルは０から２５５までの範囲をとり、２５６階調の画像データを出力するものとする。数値は輝度を表すので黒が０、白が２５５である。
【００３９】
図６では、Ｘの個所にゴミがあり、読み取りデータは他の画素に比べて読み取り値が小さくなっている。
【００４０】
このまま、シェーディング補正を行うと、シェーディング板の読み取り目標値を２４５とした場合、シェーディング補正後の出力特性は図７のようになる。図７ではゴミがあった個所も目標値２４５になるよう補正されている。
【００４１】
しかしながら、Ｘの個所は、画素の出力が低いわけではないので、例えばシェーディング板２１１と同一の濃度をもった原稿を読み取ると、図８のようになる。このまま図９（ａ）のような中間濃度をもった原稿を読み取ると、図９（ｂ）のように画像が再生されてしまう。
【００４２】
この不具合を解消するために、図５の部材配置において、シェーディング補正を行う際は、図中の矢印ＡまたはＢの方向に徐々にＣＩＳ１０を移動させながら複数回シェーディングデータを採取し、その平均値をもって最終的なシェーディングデータとすれば良い。このようなシェーディング補正方法を、「移動シェーディング」と称する。
【００４３】
移動シェーディングを行った場合は、複数回のシェーディング板２１１の読み取りの際にゴミが存在したとしても、平均処理によってゴミの影響は少なくなる。移動シェーディング後のシェーディング特性も、シェーディング板２１１と同一の濃度をもった原稿を読み取った場合も図７のように出力特性が均一になる。
【００４４】
シェーディング補正処理が終了すると、画像読み取り装置はＣＩＳ１０を図１０の位置に移動させ、矢印の方向に所定速度でＣＩＳ１０を移動させ、原稿７１の連続したラインイメージを読み取って、原稿７１の所望画像範囲を読み取る。読み取った画像は、接続されたプリンタやホストコンピュータによって画像が再生される。片面原稿読み取り時は、ＡＤＦ７０は原稿５１を原稿台ガラス２０３に押さえつける圧板の役割しかしておらず、電気的にはスタンバイの状態である。
【００４５】
（両面原稿読み取り）
両面原稿を読み取る場合は、オペレータによって読み取りコマンドが入力されると、まず、画像読み取り装置はＣＩＳ１０を図５の配置にして、シェーディング板２１１によってシェーディング補正を行う。シェーディング補正の手順は（片面原稿読み取り）の項で説明したとおりなのでここでは割愛する。
【００４６】
ＣＩＳ１０のシェーディング補正が終了したあと、ＣＩＳ１１のシェーディング補正を行う。
【００４７】
ＣＩＳ１１のシェーディング補正時には、画像読み取り装置は、ＣＩＳ１０を図１１の位置に移動させ、白色部材１３がＣＩＳ１１の読み取り位置に配置されるように制御する。
【００４８】
シェーディング補正が開始されると、ＣＩＳ１１は内蔵した原稿照明ランプを点灯させ、白色部材１３を照明して白色部材１３を読み取ってシェーディング補正データを作成する。このとき、ＣＩＳ１１のピント位置はＡＤＦ７０によって原稿が搬送される流し読みウインドウ２１２の上部であるため、白色部材１３上にはピントが合ってないので、読み取りレベルが低くなる可能性があるが、シェーディング目標値を低めにとれば、ＣＩＳ１０とシェーディング板２１１のペアによるシェーディングデータと同等のデータを得ることができる。例えばシェーディング目標値を２３５にすれば良い。
【００４９】
白スジ画像の問題はＣＩＳ１１の読み取りについても同様である。白色部材１３の上にゴミが付着していると、（片面原稿読み取り）の項で説明したような白スジ画像が発生する。この不具合を解消するために、図１０の部材配置において、シェーディング補正を行う際は、図中の矢印ＡまたはＢの方向に徐々にＣＩＳ１１を移動させながら複数回シェーディングデータを採取し、その平均値をもって最終的なシェーディングデータとする移動シェーディングを行えば良い。
【００５０】
以上のように、ＣＩＳ１０及びＣＩＳ１１のシェーディング補正が終了したら、画像読み取り装置は、各部材を図１１の部材配置とする。
【００５１】
図１１は、トレイ７１に両面原稿を２枚載置し、１枚目の原稿の裏面画像がＣＩＳ１１によって読み取られようとしている様子を表す図である。
【００５２】
トレイ７１に載置された原稿５１−１と５１−２は、まず原稿５１−１が分離ローラ７２及び７３によって原稿５１−２と分離され搬送ローラ７５によって原稿がガイド７４及び７７に導かれて搬送される。原稿先端がＣＩＳ１１の読み取り位置に届くと原稿５１−１の裏面画像の読み取りが開始される。ＣＩＳ１１の読み取り位置の背面には黒部材１４が配置されているので、原稿を透過した反射光がＣＩＳ１１に入ることはなく裏写りの影響を少なくして原稿５１−１の裏面画像のラインイメージが連続して読み取られる。
【００５３】
原稿５１−１の搬送及びＣＩＳ１１での読み取りが進むと、原稿５１−１の先端は、図１３の位置に到達し、ＣＩＳ１０による原稿５１−１の表面画像の読み取りが開始される。ＣＩＳ１０の読み取り位置背面には面発光シート１５が設けてある。面発光シートはノートパソコンの液晶バックライトなどに用いられているものであり、所定の電圧をかけると発光する特性を持つ。電圧がかからない場合は消灯し、黒色に近いシートになる。原稿読み取り時には、面発光シート１５を消灯することにより、原稿を透過した反射光がＣＩＳ１０に入ることはなく裏写りの影響を少なくして原稿５１−１の表面画像のラインイメージが連続して読み取られる。面発光シート１５を発光させる場合の制御については後述する。
【００５４】
このようにして、両面原稿５１−１の両面画像は略同時に読み取りが行われる。
【００５５】
両面原稿５１−１の表面終端がＣＩＳ１０によって読み取られると、ＡＤＦ７０は原稿５１−１をトレイ７８に排紙し、次いで原稿５１−２を給紙し、原稿５１−１と同様に両面の画像読み取りを行う。
【００５６】
黒部材１４と白部材１３の配置関係は逆でも良いが、両面読み取り時のＣＩＳ１０とＣＩＳ１１のお互いの光源の影響を避けるために、ＣＩＳ１０とＣＩＳ１１の読み取り位置はなるべく距離を隔てた方が良い。
【００５７】
従ってこれまで説明してきたように、黒部材１４は白部材１３に連結され、白部材１３がＣＩＳ１０に連結される構成の方が望ましいと言える。
【００５８】
以上の制御によって読み取られた両面画像データは、接続されたプリンタやホストコンピュータによって画像が再生される。
【００５９】
（実施例２）
実施例１では、シェーディング補正を含めた両面画像の読み取りについて説明したが、実施例１のように原稿を搬送しながら読み取り部を固定とした状態でラインイメージを読み取る場合、読み取り部に付着したゴミの影響に注意しなければならない。図１３の構成の例では、ＣＩＳ１１の保護ガラス１２の読み取り個所にゴミが付いた場合、あるいはＣＩＳ１０の流し読みウインドウ２１２の読み取り個所にゴミが付いた場合、ＣＩＳ１１またはＣＩＳ１０のラインセンサと原稿の間に常にゴミがあることになり、画像読み取りの最中は常にこれらのゴミを読み取っていることになる。結果、再生画像には副走査方向にゴミスジが再現されることになる。
【００６０】
この不具合を解消するためにゴミ検知処理を行う。
【００６１】
まずＣＩＳ１０のゴミ検知を行う場合の制御について説明する。
【００６２】
ＣＩＳ１０の読み取りポイントである流し読みウインドウ２１２に付着したゴミを検出する際は、原稿を載置しない状態でＣＩＳ１０を図１４の配置にする。
【００６３】
この配置状態で、面発光シート１５を発光させる。ＣＩＳ１０内蔵の原稿照明ランプは消灯しておく。
【００６４】
このような制御を行うことにより、流し読みウインドウ２１２上のＣＩＳ１０の読み取りポイントにゴミが付着した場合は、ＣＩＳ１０の対面から入光する光に対して逆光になっているため、ゴミが影になりゴミの色が白であろうと黒であろうとＣＩＳ１０の読み取りは黒画像になる。
【００６５】
よってＣＩＳ１０の画像処理回路では、周囲画素との読み取りデータの比較を行い、極端に出力レベルが落ちている画素位置にはゴミがあると判断できる。
【００６６】
同様に、ＣＩＳ１１の保護ガラス１２に付着したゴミを検出する際は、原稿を載置しない状態でＣＩＳ１０を図１５の配置にする。
【００６７】
この配置状態で、ＣＩＳ１０内蔵の原稿照明ランプは点灯させ、同時にＣＩＳ１０内蔵の原稿照明ランプは消灯しておく。
【００６８】
このような制御を行うことにより、保護ガラス１２上のＣＩＳ１１の読み取りポイントにゴミが付着した場合は、ＣＩＳ１１の対面から入光する光に対して逆光になっているため、ゴミが影になりゴミの色が白であろうと黒であろうとＣＩＳ１１の読み取りは黒画像になる。
【００６９】
よってＣＩＳ１１の画像処理回路では、周囲画素との読み取りデータの比較を行い、極端に出力レベルが落ちている画素位置にはゴミがあると判断できる。
【００７０】
以上説明したように、ＣＩＳ１０及びＣＩＳ１１のゴミ検知が行われたら、読み取り位置を若干ずらして再度ゴミ検知を行う処理を繰り返し、ゴミのない読み取り位置を探す制御を行うか、ゴミがあると判断された画素データは、周囲の画素データから補間データを作成し、補間データに置き換える画像処理を実施する等の方法により、ゴミスジが発生しない画像データを出力することができる。
【００７１】
【発明の効果】
以上説明したように、本発明は画像読み取り装置に、内部に読み取り系を装備したＡＤＦを装着し、１回の原稿搬送動作によって表面画像と裏面画像を読み取る１パス両面画像読み取り装置に、表面画像の読み取り系に、ＡＤＦ側の裏面画像読み取り系による読み取りの際の裏写りを軽減する目的のための黒部材を具備し、裏面画像読み取り系による読み取り時には前述の黒部材が裏面画像読み取り系の読み取り位置に配置されると同時に、表面画像読み取り系が両面画像読み取りの際の画像読み取り位置に配置されるように構成したので、裏面画像読み取り時の裏写りを軽減することができる。
【００７２】
また、表面画像読み取り系に、裏面画像読み取り系によるシェーディング補正の際のシェーディング補正を実施する目的のための白色部材を具備し、裏面画像読み取り系による読み取り時には前述の白部材が裏面画像読み取り系の読み取り位置に配置されるように構成したので、裏面画像読み取り系によるシェーディング補正の際は、表面画像読み取り系を移動させながらシェーディングすることによりシェーディングデータに対する白部材上のゴミの影響を少なくすることができる。
【００７３】
また、表面画像読み取り系の読み取り位置におけるゴミ検出の際は表面画像読み取り系の原稿照明位置が裏面画像読み取り系の読み取り位置に配置され、裏面画像読み取り系の原稿照明光源は消灯し、表面読み取り系の原稿照明光源を点灯させてゴミ検出するので、白いゴミも黒いゴミも逆光状態でゴミ検出され、裏面画像読み取り系によるゴミの検出精度を高くすることができる。
【００７４】
また、原稿の両面読み取りの際、表面画像読み取り系の読み取り位置に点灯及び消灯を制御できる発光体を配置することにより、ゴミ検出の際は表面画像読み取り系を原稿両面読み取り位置に配置させ、発光体を発光させるとともに表面画像読み取り系の原稿照明光源を消灯させてゴミ検出するので、表面画像読み取り系によるゴミの検出精度を高くすることができる。
【００７５】
さらには、原稿両面読み取り時には、発光体を消灯させることにより、裏写りの影響を軽減することができる。
【図面の簡単な説明】
【図１】本発明を実施した両面画像読み取り装置の概略を示す図
【図２】従来の両面画像読み取り装置の概略を示す図
【図３】裏写りの状態を示す図
【図４】表面原稿画像を読み取るＣＩＳの概略図
【図５】ＣＩＳ１０がシェーディング補正を実施する場合の部材の配置関係を示す図
【図６】シェーディング板にゴミがあった場合の読み取りの状態を示す図
【図７】シェーディング補正後のシェーディング板の読み取りの状態を示す図
【図８】シェーディング補正後の原稿の読み取りの状態を示す図
【図９】シェーディング板にゴミがあった場合の原稿再生の状態を示す図
【図１０】両面画像読み取り装置で片面原稿を読み取る際の動作を示す図
【図１１】両面画像読み取り装置で、ＣＩＳ１１のシェーディング補正を実施する際の動作を示す図
【図１２】両面画像読み取り装置で、両面原稿を読み取る際の部材配置を示す図（裏面原稿読み取り開始時）
【図１３】両面画像読み取り装置で、両面原稿を読み取る際の部材配置を示す図（表面原稿読み取り開始時）
【図１４】両面画像読み取り装置で、ＣＩＳ１０によるゴミ検知時の部材配置を示す図
【図１５】両面画像読み取り装置で、ＣＩＳ１１によるゴミ検知時の部材配置を示す図
【符号の説明】
１０、１１  ＣＩＳ
１２  保護ガラス
１３  白色部材
１４  黒色部材
４１  ラインセンサ
４２−１、４２−２  原稿照明ランプ
４３  セルフフォーカスレンズアレイ
１５  発光シート
２０６  第２ミラー
２０７  第３ミラー
２０８  レンズ
２０９  ＣＣＤ
２１０  原稿圧板
２１１  シェーディング補正板
３０１  アナログアンプ
３０２  Ａ／Ｄコンバータ
３０３  シェーディング補正回路
３０４  Ｉ／Ｆ回路
５０１  スイッチ
５０２  ラインメモリ
５０３  乗算器
７１  白スジ
１００１  Ｉ／Ｆ回路
１００２  ｌｏｇ変換回路
１００３  エッジ強調回路
１００４  γ変換回路
１００５  ２値化処理回路
【図１】
2004166145.tif 000003
【図２】
2004166145.tif 000004
【図３】
2004166145.tif 000005
【図４】
2004166145.tif 000006
【図５】
2004166145.tif 000007
【図６】
2004166145.tif 000008
【図７】
2004166145.tif 000009
【図８】
2004166145.tif 000010
【図９】
2004166145.tif 000011
【図１０】
2004166145.tif 000012
【図１１】
2004166145.tif 000013
【図１２】
2004166145.tif 000014
【図１３】
2004166145.tif 000015
【図１４】
2004166145.tif 000016
【図１５】
2004166145.tif 000017